(57)【要約】      （修正有）【課題】特に特殊な端子配列により、端子が高周波信号を伝送する際の安定性を向上させて高周波信号の伝送効率を高めた、高周波信号の伝送に適した電気コネクタを提供する。【解決手段】インシュレーター１と、前記インシュレーター内に位置する固定部と、該固定部から前方に延出して該インシュレーターから露出する電気接続部４２と、該固定部から後方に延出して該インシュレーターから露出する半田付け部４３ａとを有する複数の端子と、前記インシュレーターと複数の端子とを被包する金属シェル６０と、を備え、それぞれ三角形の頂点に配置される前記各半田付け部と、隣接する半田付け部との距離がほぼ均一となる様構成する。【選択図】図３
0003150703.tif 000002
【実用新案登録請求の範囲】
【請求項１】
前端部と、後端部とを有するインシュレーター（１）と、
前記インシュレーター（１）に貫設され、該インシュレーター（１）内に位置する固定部（４１）（５１）と、該固定部（４１）（５１）から前方に延出して該インシュレーター（１）の前端部から露出する電気接続部（４２）（５２）と、該固定部（４１）（５１）から後方に延出してインシュレーター（１）の後端部から露出する半田付け部（４３a）（４３b）（５３a）（５３b）とを有する複数の端子（４０a）（４０b）（５０a）（５０b）と、
前記インシュレーター（１）と複数の端子（４０a）（４０b）（５０a）（５０b）とを被包する金属シェル（６０）と、を備え、
前記複数の半田付け部（４３a）（４３b）（５３a）（５３b）は、複数の三角形（T）に配列されるものであり、該各半田付け部（４３a）（４３b）（５３a）（５３b）と、隣接する半田付け部（４３a）（４３b）（５３a）（５３b）との距離はほぼ均一であり、該各半田付け部（４３a）（４３b）（５３a）（５３b）はそれぞれ、三角形（T）の頂点に配置されることを特徴とする高周波信号の伝送に適した電気コネクタ。
【請求項２】
前記各端子における半田付け部（４３a）（４３b）（５３a）（５３b）は、隣接する複数の半田付け部（４３a）（４３b）（５３a）（５３b）のいずれか２つと正三角形（T）に配列されることを特徴とする請求項１に記載の高周波信号の伝送に適した電気コネクタ。
【請求項３】
前記複数の端子（４０a）（４０b）（５０a）（５０b）は、第一端子（４０a）と、第二端子（４０b）とを有し、該第一端子（４０a）の電気接続部（４２）と該第二端子（４０b）の電気接続部（４２）は、交互に同一水平となるように配置されると共に、該第一端子（４０a）の半田付け部（４３a）及び第二端子（４０b）の半田付け部（４３b）は、第一端子（４０a）の半田付け部（４３a）が第一列となり、第二端子（４０b）の半田付け部（４３b）が該第一列の下方に位置する第二列となるように交互に配置されることを特徴とする請求項２に記載の高周波信号の伝送に適した電気コネクタ。
【請求項４】
前記複数の端子（４０a）（４０b）（５０a）（５０b）は、インシュレーター（１）に貫設されると共に、該第一端子（４０a）と第二端子（４０b）の下方に位置する第三端子（５０a）と第四端子（５０b）を有し、該第三端子（５０a）の電気接続部（５２）と第四端子（５０b）の電気接続部（５２）は、交互に同一水平となるように配置され、該第三端子（５０a）の半田付け部（５３a）及び第四端子（５０b）の半田付け部（５３b）は、第三端子（５０a）の半田付け部（５３a）が第三列となり、該第四端子（５０b）の半田付け部（５３b）が第三列の下方に位置する第四列となるように交互に配置されることを特徴とする請求項３に記載の高周波信号の伝送に適した電気コネクタ。
【請求項５】
前記インシュレーター（１）は、連結座（１１）と、該連結座（１１）から前方に延出する延出片（１２）とを有する前固定台（１０）と、
前記前固定台（１０）の後端部に設置される上部基台（２０）と、
前記上部基台（２０）と結合すると共に、前記前固定台（１０）の後端部に設置される下部基台（３０）とを有し、
前記連結座（１１）には、複数の上部端子穴（１１０a）と下部端子穴（１１０b）が貫設されると共に、前記延出片（１２）の上面及び底面にそれぞれ該複数の上部端子穴（１１０a）及び下部端子穴（１１０b）に対応する複数の上部端子溝（１２０a）及び下部端子溝（１２０b）が形成され、
前記上部基台（２０）には、複数の上部端子通路（２００）が貫設されると共に、前記下部基台（３０）には、複数の下部端子通路（３００）が貫設され、
前記複数の第一端子（４０a）及び第二端子（４０b）は、上部基台（２０）における上部端子通路（２００）、連結座（１１）における上部端子穴（１１０a）及び延出片（１２）における上部端子溝（１２０a）に挿設されると共に、前記第三端子（５０a）及び第四端子（５０b）は、下部基台（３０）における下部端子通路（３００）、連結座（１１）における下部端子穴（１１０b）及び延出片（１２）における下部端子溝（１２０b）に挿設されることを特徴とする請求項４に記載の高周波信号の伝送に適した電気コネクタ。
【請求項６】
前記前固定座における連結部の後端部に嵌合穴（１１２）が形成されると共に、前記上部基台（２０）及び下部基台（３０）の前端部（３１）にそれぞれ、該嵌合穴（１１２）に設置される上挿設部（２５）と下挿設部（３５）が延設されることを特徴とする請求項５に記載の高周波信号の伝送に適した電気コネクタ。
【請求項７】
前記複数の第一端子（４０a）と第二端子（４０b）における４つの端子はそれぞれ、DisplayPortの規格に基づいた信号端子であると共に、２つの端子は、接地端子であり、また、前記複数の第三端子（５０a）と第四端子（５０b）における４つの端子はそれぞれ、DisplayPortの規格に基づいた信号端子であると共に、２つの端子は接地端子であることを特徴とする請求項６に記載の高周波信号の伝送に適した電気コネクタ。
【請求項８】
前記上部基台（２０）の後端部から後方に向かって少なくとも1つの固定ロッド（２７）が延設されることを特徴とする請求項７に記載の高周波信号の伝送に適した電気コネクタ。
【請求項９】
前記下部基台（３０）の後端部から後方に向かって少なくとも1つの固定ロッド（３７）が延設されることを特徴とする請求項８に記載の高周波信号の伝送に適した電気コネクタ。
【考案の詳細な説明】
【技術分野】
【０００１】
本考案は、特に特殊な端子配列により、端子が高周波信号を伝送する際の安定性を向上させて高周波信号の伝送効率を高めた、高周波信号の伝送に適した電気コネクタに関するものである。
【背景技術】
【０００２】
近年、テレビやディスプレイ装置に表示される静止画または動画に対する高画素化の要求の高まりに伴い、映像信号のデータ量が増大し続けていることから、それに合せてインターフェースの改良も進んでおり、現在では信号の伝送周波数を高めることにより、膨大な信号を伝送できるようになっている。
【０００３】
高周波信号は、環境の影響を受けやすいものであるので、この高周波信号を伝送するためのコネクタは、設計または製造する際の要求や条件が通常のコネクタよりも高い。また、コネクタを回路板に取り付ける方法としては主に、表面実装技術(Surface Mount Technology,SMT)が用いられるほか、半田付けにより回路板に予め形成された貫通孔にコネクタを取り付ける方法も採用されている。
【考案の概要】
【考案が解決しようとする課題】
【０００４】
しかしながら、上述した従来の方法を用いて回路板に取り付けられたコネクタは、作動時の抵抗の変化が大きい過ぎるため、信号を安定的に伝送することができないといった欠点があった。
【０００５】
そこで、案出されたのが本考案であって、特殊な端子配列により、端子が高周波信号を伝送する際の安定性を向上させて高周波信号の伝送効率を高めた、高周波信号の伝送に適した電気コネクタを提供することを目的としている。
【課題を解決するための手段】
【０００６】
本願の請求項１の考案は、前端部と、後端部とを有するインシュレーター（１）と、
前記インシュレーター（１）に貫設され、該インシュレーター（１）内に位置する固定部（４１）（５１）と、該固定部（４１）（５１）から前方に延出して該インシュレーター（１）の前端部から露出する電気接続部（４２）（５２）と、該固定部（４１）（５１）から後方に延出してインシュレーター（１）の後端部から露出する半田付け部（４３a）（４３b）（５３a）（５３b）とを有する複数の端子（４０a）（４０b）（５０a）（５０b）と、
前記インシュレーター（１）と複数の端子（４０a）（４０b）（５０a）（５０b）とを被包する金属シェル（６０）と、を備え、
前記複数の半田付け部（４３a）（４３b）（５３a）（５３b）は、複数の三角形（T）に配列されるものであり、該各半田付け部（４３a）（４３b）（５３a）（５３b）と、隣接する半田付け部（４３a）（４３b）（５３a）（５３b）との距離はほぼ均一であり、該各半田付け部（４３a）（４３b）（５３a）（５３b）はそれぞれ、三角形（T）の頂点に配置されることを特徴とする高周波信号の伝送に適した電気コネクタ、を提供する。
【０００７】
本願の請求項２の考案は、前記各端子における半田付け部（４３a）（４３b）（５３a）（５３b）は、隣接する複数の半田付け部（４３a）（４３b）（５３a）（５３b）のいずれか２つと正三角形（T）に配列されることを特徴とする請求項１に記載の高周波信号の伝送に適した電気コネクタ、を提供する。
【０００８】
本願の請求項３の考案は、前記複数の端子（４０a）（４０b）（５０a）（５０b）は、第一端子（４０a）と、第二端子（４０b）とを有し、該第一端子（４０a）の電気接続部（４２）と該第二端子（４０b）の電気接続部（４２）は、交互に同一水平となるように配置されると共に、該第一端子（４０a）の半田付け部（４３a）及び第二端子（４０b）の半田付け部（４３b）は、第一端子（４０a）の半田付け部（４３a）が第一列となり、第二端子（４０b）の半田付け部（４３b）が該第一列の下方に位置する第二列となるように交互に配置されることを特徴とする請求項２に記載の高周波信号の伝送に適した電気コネクタ、を提供する。
【０００９】
本願の請求項４の考案は、前記複数の端子（４０a）（４０b）（５０a）（５０b）は、インシュレーター（１）に貫設されると共に、該第一端子（４０a）と第二端子（４０b）の下方に位置する第三端子（５０a）と第四端子（５０b）を有し、該第三端子（５０a）の電気接続部（５２）と第四端子（５０b）の電気接続部（５２）は、交互に同一水平となるように配置され、該第三端子（５０a）の半田付け部（５３a）及び第四端子（５０b）の半田付け部（５３b）は、第三端子（５０a）の半田付け部（５３a）が第三列となり、該第四端子（５０b）の半田付け部（５３b）が第三列の下方に位置する第四列となるように交互に配置されることを特徴とする請求項３に記載の高周波信号の伝送に適した電気コネクタ、を提供する。
【００１０】
本願の請求項５の考案は、前記インシュレーター（１）は、連結座（１１）と、該連結座（１１）から前方に延出する延出片（１２）とを有する前固定台（１０）と、
前記前固定台（１０）の後端部に設置される上部基台（２０）と、
前記上部基台（２０）と結合すると共に、前記前固定台（１０）の後端部に設置される下部基台（３０）とを有し、
前記連結座（１１）には、複数の上部端子穴（１１０a）と下部端子穴（１１０b）が貫設されると共に、前記延出片（１２）の上面及び底面にそれぞれ該複数の上部端子穴（１１０a）及び下部端子穴（１１０b）に対応する複数の上部端子溝（１２０a）及び下部端子溝（１２０b）が形成され、
前記上部基台（２０）には、複数の上部端子通路（２００）が貫設されると共に、前記下部基台（３０）には、複数の下部端子通路（３００）が貫設され、
前記複数の第一端子（４０a）及び第二端子（４０b）は、上部基台（２０）における上部端子通路（２００）、連結座（１１）における上部端子穴（１１０a）及び延出片（１２）における上部端子溝（１２０a）に挿設されると共に、前記第三端子（５０a）及び第四端子（５０b）は、下部基台（３０）における下部端子通路（３００）、連結座（１１）における下部端子穴（１１０b）及び延出片（１２）における下部端子溝（１２０b）に挿設されることを特徴とする請求項４に記載の高周波信号の伝送に適した電気コネクタ、を提供する。
【００１１】
本願の請求項６の考案は、前記前固定座における連結部の後端部に嵌合穴（１１２）が形成されると共に、前記上部基台（２０）及び下部基台（３０）の前端部（３１）にそれぞれ、該嵌合穴（１１２）に設置される上挿設部（２５）と下挿設部（３５）が延設されることを特徴とする請求項５に記載の高周波信号の伝送に適した電気コネクタ、を提供する。
【００１２】
本願の請求項７の考案は、前記複数の第一端子（４０a）と第二端子（４０b）における４つの端子はそれぞれ、DisplayPortの規格に基づいた信号端子であると共に、２つの端子は、接地端子でありまた、前記複数の第三端子（５０a）と第四端子（５０b）における４つの端子はそれぞれ、DisplayPortの規格に基づいた信号端子であると共に、２つの端子は接地端子であることを特徴とする請求項６に記載の高周波信号の伝送に適した電気コネクタ、を提供する。
【００１３】
本願の請求項８の考案は、前記上部基台（２０）の後端部から後方に向かって少なくとも1つの固定ロッド（２７）が延設されることを特徴とする請求項７に記載の高周波信号の伝送に適した電気コネクタ、を提供する。
【００１４】
本願の請求項９の考案は、前記下部基台（３０）の後端部から後方に向かって少なくとも1つの固定ロッド（３７）が延設されることを特徴とする請求項８に記載の高周波信号の伝送に適した電気コネクタ、を提供する。
【考案の効果】
【００１５】
本考案は上記の課題を解決するものであり、前記複数の端子における半田付け部を三角形に配列して、各半田付け部と、隣接する半田付け部との距離を均一にすることにより、端子が作動時の抵抗の変化を抑制できるので、高周波信号を伝送する際の安定性を向上させることができる。
【図面の簡単な説明】
【００１６】
【図１】本考案に係る高周波信号の伝送に適した電気コネクタの正面視の斜視図である。
【図２】本考案に係る高周波信号の伝送に適した電気コネクタの背面視の斜視図である。
【図３】本考案に係る高周波信号の伝送に適した電気コネクタの正面視の分解斜視図である。
【図４】本考案に係る高周波信号の伝送に適した電気コネクタの背面視の分解斜視図である。
【図５】本考案に係る高周波信号の伝送に適した電気コネクタの背面図である。
【図６】本考案に係る高周波信号の伝送に適した電気コネクタの側部断面図である。
【図７】本考案に係る高周波信号の伝送に適した電気コネクタの平面断面図である。
【図８】本考案に係る高周波信号の伝送に適した電気コネクタ及び従来の電気コネクタの、抵抗と時間の関係を示す図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係る高周波信号の伝送に適した電気コネクタの正面視の斜視図であり、図２は本考案に係る高周波信号の伝送に適した電気コネクタの背面視の斜視図であり、図３は本考案に係る高周波信号の伝送に適した電気コネクタの正面視の分解斜視図であり、図４は本考案に係る高周波信号の伝送に適した電気コネクタの背面視の分解斜視図であり、図５は本考案に係る高周波信号の伝送に適した電気コネクタの背面図であり、図６は本考案に係る高周波信号の伝送に適した電気コネクタの側部断面図であり、図７は本考案に係る高周波信号の伝送に適した電気コネクタの平面断面図であり、図８は本考案に係る高周波信号の伝送に適した電気コネクタ及び従来の電気コネクタの、抵抗と時間の関係を示す図である。
【００１９】
図１及び図２に示すように、本考案に係る高周波信号の伝送に適した電気コネクタは、ビデオ エレクトロニクス スタンダーズ アソシエーション(Video Electronics Standards Association,VESA)によるDisplayPort規格に準拠し、インシュレーター（１）と、複数の端子（４０a）（４０b）（５０a）（５０b）と、金属シェル（６０）とを備えるものである。
【００２０】
前記インシュレーター（１）は、前端部と、後端部と、を有するものであり、本実施例において該インシュレーター（１）は、前固定台（１０）と、上部基台（２０）及び下部基台（３０）とを有するものである。
図６に示すように、前記前固定台（１０）は、連結座（１１）と、該連結座（１１）の前端部（１１１）から前方に延出する延出片（１２）とを有するものであり、該連結座（１１）には、複数の上部端子穴（１１０a）と下部端子穴（１１０b）が貫設されると共に、後端部に嵌合穴（１１２）が形成され、該延出片（１２）の頂面及び底面にはそれぞれ、該複数の上部端子穴（１１０a）及び下部端子穴（１１０b）に対応する複数の上部端子溝（１２０a）及び下部端子溝（１２０b）が形成される。
【００２１】
前記上部基台（２０）は、前記連結座（１１）の後端部に設置され、該上部基台（２０）には、複数の上部端子通路（２００）が貫設されると共に、後端部から後方に向かって少なくとも1つの回路板に挿設するための固定ロッド（２７）が延設され、また、該上部基台（２０）の前端部（２１）に前記嵌合穴（１１２）に設置される上挿設部（２５）が延設される。
【００２２】
前記下部基台（３０）は、前記上部基台（２０）と結合すると共に、前記連結座（１１）の後端部に設置されるものであり、該下部基台（３０）には、複数の下部端子通路（３００）が貫設されると共に、後端部から後方に向かって少なくとも1つの回路板に挿設するための固定ロッド（３７）が延設され、また、該下部基台（３０）の前端部（３１）に前記嵌合穴（１１２）に設置される下挿設部（３５）が延設される。
【００２３】
前記複数の端子（４０a）（４０b）（５０a）（５０b）は、前記インシュレーター（１）に貫設され、それぞれ固定部（４１）（５１）と、電気接続部（４２）（５２）と、半田付け部（４３）（５３）とを有するものである。
その内、前記固定部（４１）（５１）は、前記上部基台（２０）における上部端子通路（２００）または下部基台（３０）における下部端子通路（３００）に位置すると共に、前記電気接続部（４２）（５２）は、該固定部（４１）（５１）から前方に延出してインシュレーター（１）の前端部から露出しつつ、前記前固定座(１０)における上部端子溝（１２０a）または下部端子溝（１２０b）に位置するものである。
また、図５に示すように、前記半田付け部（４３a）（４３b）（５３a）（５３b）は、前記固定部（４１）（５１）から後方に延出して前記上部基台（２０）または下部基台（３０）の後端部（２２）（３２）から露出するものである。
【００２４】
更に、前記複数の半田付け部（４３a）（４３b）（５３a）（５３b）は、複数の三角形（T）に配列されるものであり、即ち、前記上部基台（２０）及び下部基台（３０）の後方から見た状態では、該各半田付け部（４３a）（４３b）（５３a）（５３b）と、隣接する半田付け部（４３a）（４３b）（５３a）（５３b）との距離はほぼ均一であると共に、該各半田付け部（４３a）（４３b）（５３a）（５３b）はそれぞれ、三角形（T）の頂点に配置される。尚、前記各半田付け部（４３a）（４３b）（５３a）（５３b）は、隣接する複数の半田付け部（４３a）（４３b）（５３a）（５３b）のいずれか２つと正三角形となるように配列されてもよい。
【００２５】
本実施例においては、前記複数の端子（４０a）（４０b）（５０a）（５０b）はそれぞれ、複数の第一端子（４０a）、第二端子（４０b）、第三端子（５０a）及び第四端子（５０b）とを有し、その内、第一端子（４０a）の電気接続部（４２）と該第二端子（４０b）の電気接続部（４２）は、交互に同一水平となるように配置されると共に、該第一端子（４０a）の半田付け部（４３a）と第二端子（４０b）の半田付け部（４３b）は、第一端子（４０a）の半田付け部（４３a）が第一列となり、第二端子（４０b）の半田付け部（４３b）が該第一列の下方に位置する第二列となるように、交互に配置されるものである。また、前記複数の第一端子（４０a）及び第二端子（４０b）は、上部基台（２０）における上部端子通路（２００）、連結座（１１）における上部端子穴（１１０a）、及び延出片（１２）における上部端子溝（１２０a）に挿設されると共に、前記第三端子（５０a）と第四端子（５０b）は、該第一端子（４０a）と第二端子（４０b）の下方に位置するものである。また、該第三端子（５０a）の電気接続部（５２）と第四端子（５０b）の電気接続部（５２）は、交互に同一水平となるように配置され、該第三端子（５０a）の半田付け部（５３a）は第三列を成すと共に、該第四端子（５０b）の半田付け部（５３b）は、該第三列の下方に位置する第四列となるように、交互に配置されるものである。更に、前記複数の第三端子（５０a）及び第四端子（５０b）は、下部基台（３０）における下部端子通路（３００）、連結座（１１）における下部端子穴（１１０b）、及び延出片（１２）における下部端子溝（１２０b）に挿設されるものである。
【００２６】
また、本実施例においては、前記複数の第一端子（４０a）と第二端子（４０b）における４つの端子はそれぞれ、DisplayPortの規格に基づいた信号端子であると共に、２つの端子は、接地端子であり、また、前記複数の第三端子（５０a）と第四端子（５０b）における４つの端子はそれぞれ、DisplayPortの規格に基づいた信号端子であると共に、２つの端子は接地端子である。
【００２７】
該金属シェル（６０）は中空体であり、前記インシュレーター（１）と複数の端子（４０a）（４０b）（５０a）（５０b）を被包するものであり、該金属シェル（６０）には、プラグを収容するための収容室（６１）が形成される。
【００２８】
図８は、半田付け部（４３a）（４３b）（５３a）（５３b）を三角形（T）に配列した本考案のコネクタ及び半田付け部を従来の方式に従って配列したコネクタの、抵抗と時間の関係を示す図であり、その抵抗の単位はオーム(ohm)であり、時間の単位は10-12秒(Pico-second,PS)である。また、図８に示すように、本考案のコネクタは、作動時の抵抗の変化がより安定しており、激しく変動することはないので、信号伝送の安定性に優れている。
【産業上の利用可能性】
【００２９】
本考案は上記の構成を有するので、複数の端子における半田付け部を三角形に配列することにより、コネクタの高周波信号の伝送効率を向上させることができる。
【符号の説明】
【００３０】
１          インシュレーター
１０        前固定台
１１        連結座
１１０a      上部端子穴
１１０b      下部端子穴
１１１      前端部
１１２      嵌合穴
１２        延出片
１２０a      上部端子溝
１２０b      下部端子溝
２０        上部基台
２００      上部端子通路
２１        前端部
２２        後端部
２５        上挿設部
２７        固定ロッド
３０        下部基台
３００      下部端子通路
３１        前端部
３２        後端部
３５        下挿設部
３７        固定ロッド
４０a        第一端子
４０b        第二端子
４１、５１  固定部
４２、５２  電気接続部
４３a、４３b、５３a、５３b  半田付け部
５０a        第三端子
５０b        第四端子
６０        金属シェル
Ｔ          三角形
【図１】
0003150703.tif 000003
【図２】
0003150703.tif 000004
【図３】
0003150703.tif 000005
【図４】
0003150703.tif 000006
【図５】
0003150703.tif 000007
【図６】
0003150703.tif 000008
【図７】
0003150703.tif 000009
【図８】
0003150703.tif 000010